(57)【要約】【課題】移動フードを移動する際に釣竿の外面が損傷することなく、小さな抵抗で滑らかに移動することができるリールシートを備えた釣竿を提供すること【解決手段】リールシート本体１４に形成されたリール脚載置面１８上に、魚釣用リールの取付脚部６ａを保持する一対のフードを備え、これらの一対のフードの一方は、リール脚載置面１８の軸方向の一端側に形成された雄ねじに螺合される雌ねじ３６ａを有しかつリール脚載置面１８の長手方向に沿って移動可能な移動フード１６として形成され、この移動フード１６を移動することにより、魚釣用リールの取付脚部６ａを締付けおよび締付け解除するリールシート１２を有する釣竿であって、移動フード１６は、雌ねじ３６ａよりも、固定フード２２から離隔した位置に、内周面から突出しかつ釣竿１０の外周面に摺接可能な突出部材５６を有し、この突出部材５６は、雌ねじよりも摩擦抵抗が小さく形成されている釣竿。【選択図】      図３
2006204261.tif 000002
【特許請求の範囲】
【請求項１】
リールシート本体に形成されて魚釣用リールの取付脚部を載置するリール脚載置面と、このリール脚載置面の長手方向に沿って対向配置され、リールの取付脚部をこのリール脚載置面上に保持する一対のフードとを備え、これらの一対のフードの一方は、リール脚載置面の軸方向の一端側に形成された雄ねじに螺合される雌ねじを有しかつリール脚載置面の長手方向に沿って移動可能な移動フードとして形成され、この移動フードをリール脚載置面の長手方向に沿って移動することにより、魚釣用リールの取付脚部を締付けおよび締付け解除するリールシートを有する釣竿であって、
前記移動フードは、前記雌ねじよりも、前記一対のフードの他方から離隔した位置に、内周面から突出しかつ前記釣竿の外周面に摺接可能な突出部を有し、この突出部は、前記雌ねじよりも摩擦抵抗が小さく形成されていることを特徴とする釣竿。
【請求項２】
前記移動フードは、前記雌ねじを形成したナット部材と、前記一対のフードの他方に近接した側でこのナット部材に設けられて、前記リールの取付脚部の端部を収容可能なフード体とを有し、前記突出部は、前記ナット部材よりも摩擦抵抗の小さな材料で形成され、前記ナット部材の内面に配置されることを特徴とする請求項１に記載の釣竿。
【請求項３】
前記ナット部材は、雌ねじを形成されたボディ部と、この雌ねじを形成した領域の外周側で、ボディ部に嵌合された筒体とを有し、この筒体はボディ部よりも潰れに対する強度を高く形成されていることを特徴とする請求項２に記載の釣竿。
【請求項４】
前記突出部は、前記雌ねじがリールシート本体の雄ねじに螺合したときに、対向する釣竿の外面との間に間隙を形成することを特徴とする請求項１から３のいずれか１つに記載の釣竿。
【請求項５】
前記ナット部材は、４０ｍｍ〜７０ｍｍの軸方向寸法を有し、前記間隙は０．３ｍｍから０．９ｍｍの範囲であることを特徴とする請求項４に記載の釣竿。
【発明の詳細な説明】
【技術分野】
【０００１】
本発明は、釣竿に関し、特に、魚釣用リールの取付脚部を締付けおよび締付け解除するリールシートを有する釣竿に関する。
【背景技術】
【０００２】
一般に、釣竿に魚釣用リールを取付けるリールシートは、リールの取付脚部を載置するリール脚載置面をリールシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、かつ、一方がリール脚載置面に対して移動し、所要位置に固定可能な移動フードとして形成され、これらの一対のフード間に取付脚部を挟持させることにより、リールを釣竿に装着する。このようなリールシートには、ナットの締付け動作によって移動フードを移動および固定するナット式のものが知られている（例えば特許文献１参照）。
【０００３】
このようなリールシートは、リールシート本体をパイプ状に形成し、竿管に接着することで固定するのが一般的である。
【特許文献１】実開平５８−４４０６７号公報
【発明の開示】
【発明が解決しようとする課題】
【０００４】
このようなパイプ状のリールシート本体を有するリールシートは、移動フードを移動する際、ナットが雄ねじ以外の部位、例えばリールシート本体のリール脚載置面の近部あるいは竿管の外面等に接触する場合がある。ナットがこれらの外面に接触すると、塗装あるいは装飾を施した外面が損傷し、見栄えが悪くなるだけでなく、接触による摩擦抵抗により、ナットが滑らかに移動できなくなる。
【０００５】
本発明は、このような事情に基づいてなされたもので、移動フードを移動する際に釣竿の外面が損傷することなく、小さな抵抗で滑らかに移動することができるリールシートを備えた釣竿を提供することを目的とする。
【課題を解決するための手段】
【０００６】
上記目的を達成する本発明の釣竿は、リールシート本体に形成されて魚釣用リールの取付脚部を載置するリール脚載置面と、このリール脚載置面の長手方向に沿って対向配置され、リールの取付脚部をこのリール脚載置面上に保持する一対のフードとを備え、これらの一対のフードの一方は、リール脚載置面の軸方向の一端側に形成された雄ねじに螺合される雌ねじを有しかつリール脚載置面の長手方向に沿って移動可能な移動フードとして形成され、この移動フードをリール脚載置面の長手方向に沿って移動することにより、魚釣用リールの取付脚部を締付けおよび締付け解除するリールシートを有する釣竿であって、前記移動フードは、前記雌ねじよりも、前記一対のフードの他方から離隔した位置に、内周面から突出しかつ前記釣竿の外周面に摺接可能な突出部を有し、この突出部は、前記雌ねじよりも摩擦抵抗が小さく形成されていることを特徴とする。
【発明の効果】
【０００７】
本発明の釣竿によると、移動フードを移動する際、対向する他方のフード側に作用する偏荷重等の影響により、これと反対側が釣竿の外面に接触する状態となっても、移動フードの内周面から突出する突出部が、その小さな摩擦抵抗で釣竿の外面に接触するため、釣竿の外面の損傷が抑制されると共に滑らかに移動することができる。
【発明を実施するための最良の形態】
【０００８】
図１は、本発明の好ましい実施形態による釣竿１０を示す。  
この釣竿１０は、振り出し式の磯上物竿として形成してあり、穂先側の竿管を順に収納可能な最も大径の元側竿管８にリールシート１２を設け、このリールシート１２に魚釣用リール６を取付けてある。この釣竿１０には、竿管の外面に釣り糸が付着するのを防止する釣糸ガイド４が、魚釣用リール６と同じ側で、釣竿１０の穂先に向けて所定間隔をおいて固定され、竿先にはトップガイド４ａが取付けられている。このような釣糸ガイド４の個数および配置位置は、図示の例に限らず、任意に設定することが可能である。
【０００９】
このような外通し式に代えて、魚釣用リール６から繰出した釣糸を釣竿１０の竿管内に導入し、この竿管内で案内した後、中空構造の穂先竿から外部に導出する中通し式とすることも可能である。また、釣竿１０は振出し式に限らず、いんろう継ぎ、並継ぎあるいは逆並継ぎ等の適宜の継ぎ形式のものであってもよい。
【００１０】
図２に示すように、本実施形態のリールシート１２は、魚釣用リール６を取付けるための中空管状構造のリールシート本体１４を備え、このリールシート本体の例えば後端側である軸方向の一端側に形成した図示しないねじ部に沿って移動フード１６が軸方向に移動自在に装着される。繊維強化樹脂製であるのが好ましい竿管８が、このリールシート本体１４に挿通され、例えば接着剤を用いて強固に固着される。この竿管８は、中空構造あるいは中実構造のいずれであってもよい。
【００１１】
本実施形態のリールシート本体１４は、合成樹脂（例えばナイロンやＡＢＳ等）あるいは金属（例えばＳＵＳ、アルミニウム、チタン、真鍮等）等の適宜の材料から筒状に形成され、図では下側に示す一側に、魚釣用リール６の取付脚部６ａを載置するリール脚載置面１８が形成されている。更に、このリールシート本体１４には、移動フード１６に向けて開口部２０を開口させた固定フード２２が一体的に設けられている。この固定フード２２の開口部２０は、先端側に向けて次第に高さが低くなり、この開口部２０から受入れた取付脚部６ａの一端が内方に押圧されたときに、この取付脚部６ａをリール脚載置面１８側に付勢する。本実施形態の固定フード２２は、リールシート本体１４と一体構造に形成してある。これに代え、金属又は硬質の合成樹脂でリールシート本体１４と別体構造に形成し、リールシート本体１４に強固に固定してもよい。金属で形成する場合には、リールの取付脚部に当接する部位に樹脂製部材を配置し、金属間の接触による各部材の損傷を防止することが好ましい。
【００１２】
このリールシート本体１４は、リール脚載置面１８の反対側を僅かに膨出させて握持する手で握り込んだときに、握持しやすくした握り部２４を形成してある。本実施形態では、握り部２４の竿尻側に、移動フード１６の先端側を出入り可能とする間隙を設け、魚釣用リールの取付脚部６ａを締付けたときに、移動フード１６の先端をこの間隙内に収納し、握持した手にこの移動フードの先端が形成する段差部が当たらないように形成してある。これにより、握り部２４の外面は、握持した手に密着する滑らかな曲面を形成する。
【００１３】
また、移動フード１６は、例えば４０ｍｍ〜７０ｍｍの長さで、リールシート本体１４に設けた図示しないねじ部の長さおよび通常のナット部材よりも長く形成してあり、魚釣用リール６の取付脚部６ａを着脱する際に、長手方向に沿って通常移動範囲で移動しても、この移動フード１６から露出することはなく、釣竿１０の美観が維持される。この移動フード１６は、上述のようにリールシート本体１４の雄ねじに螺合するナット部材２６と、このナット部材の先端部に後端部を回動自在に連結されたフード体２８とを有し、このフード体２８は、開口部３０を固定フード２２の開口部２０と軸方向に対向させて配置され、リールシート本体１４の雄ねじに沿ってナット部材２６を回動させることにより、フード体２８の開口部３０を固定フード２２の開口部２０に対向させた状態で軸方向に沿って前後動することができる。
【００１４】
本実施形態のフード体２８は、剛性の高い硬質合成樹脂あるいは金属で形成し、開口部３０は固定フード２２の開口部２０と同様な構造に形成してある。この移動フード１６の開口部３０は、固定フード２２の開口部２０とは逆に後端側に向けて次第に高さが低くなる。これにより、リールの取付脚部の端部を受入れて固定フード２２側に移動されると、固定フード２２と協働して取付脚部をリール脚載置面１８に向けて付勢する。なお、リールシート本体１４の向きは、上述と逆にして固定することも可能である。また、開口部２０，３０内には、取付脚部６ａとの接触による損傷を防止する例えば樹脂製の緩衝部材（図示しない）を配置してもよい）。
【００１５】
図３に詳細に示すように、ナット部材２６は、外周面の先端に周方向に延びる突条３２とこれに隣接した環状溝３４とを有し、これらの突条３２と環状溝３４とをフード体２８の内周面の後端に対応させて形成された突条と環状溝とに嵌合させることにより、ナット部材２６はフード体２８に対して自由に回動させることができる。これらのナット部材２６に形成した突条３２およびフード体２８にこれと対応させて形成した突条は、互いに嵌合を容易とする傾斜面を形成しておくことが好ましい。また、フード体２８とリールシート本体１４とは、それぞれ軸方向に延びる図示しない突条と環状溝とを形成されており、これらの軸方向に延びる突条と環状溝とを嵌合させることにより、ナット部材２６がリールシート本体１４の雄ねじに沿って回動する際、フード体２８がリールシート本体１４上を回動することなく、軸方向に沿って前後動することができる。
【００１６】
この移動フード１６のナット部材２６は、雌ねじ３６ａをその軸方向の一部に形成したボディ部３６を有し、このボディ部３６の雌ねじ３６ａを形成した部位の外側に、後述する筒体３８が装着される筒体装着部４０を配置し、更に、この筒体装着部４０の後端側に順に縮径させた中間部４２と後部４４とを形成し、この中間部４２には把持を容易とする摘み部材４６が装着され、後部４４には移動フード１６の後端部と内部に挿通される竿管８あるいはリールシート本体１４との間の段差を解消するキャップ部材４８が装着される。
【００１７】
このボディ部３６に形成される雌ねじ３６ａは、ボディ部３６の先端に近接した位置、例えば上述の環状溝３４から僅かに後端側に離隔した位置から、後端側に向けてボディ部３６の中央部を超えた程度の位置まで、その全長にわたる内周面の一部にのみ形成し、全体には形成してない。これにより、魚釣用リールの取付脚部６ａの着脱に必要な範囲で移動フード１６を移動する際、移動フード１６が前進位置および後退位置のいずれにあっても、リールシート本体１４に形成した雄ねじがこの移動フード１６で覆われ、外部に露出しない。なお、環状溝３４を後端側で区画する周方向の突条３５は、フード体２８および筒体３８を軸方向に位置決めするストッパとして機能し、この突条３５はボディ部３６の最大径部を形成する。
【００１８】
図４に詳細に示すように、ボディ部３６は、雌ねじ３６ａの外側に位置する筒体装着部４０の周部に、周方向に間隔を置いて複数の縦溝４１を形成し、中間部４２の周部には筒体装着部４０の後端から軸方向に延びる複数の突条４３を形成してある。この突条４３は、中間部４２の軸方向中間部位まで延び、したがって、中間部４２の後端側は、後部４４と共に突条のない滑らかな円筒状の外面を形成する。このようなボディ部３６は、雌ねじ３６ａを形成できるものであれば適宜の材料で形成可能であり、例えばアルミニウム合金、マグネシウム合金、チタン合金等の金属材料又は硬質の合成樹脂で形成するのが好ましい。
【００１９】
図５は、このボディ部３６の筒体装着部４０に装着される筒体３８を示し、この筒体３８は、概略的に図示して製造工程を経て、強化繊維に樹脂を含浸させたプリプレグにより、ボディ部３６よりも潰れに対する強度を高く形成される。この筒体３８が、ボディ部３６よりも潰れに対する強度を高く形成されることにより、ナット部材２６の滑らかな回転を確保することができる。
【００２０】
この筒体３８は、肉厚がほぼ０．４９ｍｍの円筒状に形成され、筒体装着部４０に接着固定したときに、その外周面がボディ部３６の前端側に形成された周方向の突条３５の外周面とほぼ同一面状に配置される。このような薄肉で潰れに対して高強度の筒体３８は、図６に示すように、芯金部材Ｍに、周方向の繊維層５０ａを内側に配置しかつ軸長方向の繊維層５０ｂを外側に配置した厚さがほぼ０．１３１ｍｍのプリプレグ５０を３回にわたって巻回し、その上に更に、強化繊維を互いに交差する状態に織った縦横又は傾斜状繊維層を形成するプリプレグ５２を１回巻回し、加熱、脱芯工程を経て形成することができる。
【００２１】
この筒体３８の内側に配置されるプリプレグ５０は、縦弾性率がほぼ２６０００ｋｇｆ／ｍｍ２  （２５４８００Ｎ／ｍｍ２  ）、樹脂比率がほぼ２５重量％、厚さがほぼ０．１３１ｍｍに形成され、最外層を形成するプリプレグ５２は、縦弾性率がほぼ２４０００ｋｇｆ／ｍｍ２  （２３５２００Ｎ／ｍｍ２  ）、樹脂比率がほぼ４０重量％、厚さがほぼ０．０９８ｍｍに形成されるのが好ましい。なお、プリプレグ５２の各繊維層は、互いに交差する方向が直交する場合の他、互いに±３０°から±６０°の範囲で交差するものであってもよい。
【００２２】
図７は、筒体３８の後端側で、ボディ部３６の中間部４２に装着される摘み部材４６を示す。この摘み部材４６は、中間部４２に形成した突条４３を収容する縦溝４５を、先端側および内周側に開口させて形成してあり、その外周面には周方向に沿って間隔をおいて複数の凸部４７を形成してある。これにより、摘み部材４６をボディ部３６に、その後端側から挿入し、突条４３に縦溝４５を嵌合させて前進させると、先端が中間部４２と筒体装着部４０との間に形成される段部に突き当り、所要位置に配置される。突条４３と縦溝４５とが嵌合することにより、ボディ部３６に対する摘み部材４６の回動が阻止される。また、外周部に形成した凸部４７により、ナット部材２６を回動する際に確実に滑り止めされる。このような摘み部材４６は、ゴム等の柔軟部材で形成し、ボディ部３６に対して接着固定するのが好ましい。
【００２３】
図８は、ボディ部３６の後部４４に装着されるキャップ部材４８を示す。このキャップ部材４８は、例えばＡＢＳ樹脂にクロムメッキし、あるいはアルミニウム合金等で形成され、前端側の内周部にボディ部３６の後部４４を収容する凹部５４を有し、外周部は、摘み部材４６の外径にほぼ対応した前端部から竿管８あるいは竿管８を装着するリールシート本体１４の外径よりも僅かに大きな後端部まで縮径した円錐台状の外周面を有する。そして、このキャップ部材４８の内周側には、凹部５４から後端側に離隔した位置に、例えばポリアセタール、フッ素樹脂、シリコン樹脂を含む低摩擦の材料群から選択した材料で形成した突出部材が装着されている。このような低摩擦の材料群とは、ナット部材２６、雌ねじ３６ａを形成したボディ部３６あるいはキャップ部材４８よりも、竿管８あるいはリールシート本体１４に対する摩擦抵抗が小さい材料特性を有するものをいう。
【００２４】
このような低摩擦材料製の突出部材５６は、キャップ部材４８の内周面に直接接着剤等で固定してもよく、あるいは、図８の（Ｂ）に示すように、キャップ部材４８の内周面に所要の溝５８を形成し、この溝５８を介して接着固定してもよい。いずれの場合も、半径方向内方に対向する竿管８あるいはリールシート本体１４との間に例えば０．３〜０．９ｍｍ程度の隙間を形成するのが好ましい。このような間隙を設けることにより、ナット部材２６を回転する際にこの突出部材５６が摺動抵抗を形成せず、ナット部材２６を容易に回転させることができる。
【００２５】
この突出部材５６がキャップ部材４８の内周面からの突出量は、移動フード１６が例えば偏荷重により撓みあるいはその後端側を径方向に移動させたときに、キャップ部材４８の後端の内周面がこれに対向する竿管８あるいはリールシート本体１４の外周面と接触するのを防止する程度に設定する。この突出部材５６の突出量は、突出部材５６とキャップ部材４８の後端縁との間の距離によっても変化することは明らかであり、この距離を長くする程、大きな突出量が必要となる。この突出部材５６は、キャップ部材４８の後端の内周面がこれに対向する竿管８あるいはリールシート本体１４の外周面と接触するのを防止することができるものであれば、ボディ部３６の長さ方向のいずれの部分に設けてもよい。
【００２６】
この突出部材５６は、図８の（Ａ）に示すように、キャップ部材４８の内周面の全周にわたって形成してもよく、あるいは図８の（Ｃ）に符号５６Ａで示すように、周方向に間隔を置いて配置する突片状に形成してもよい。このように、周方向に沿って分散配置する場合は、３箇所以上とすることが好ましい。
【００２７】
このように、移動フード１６の内周部に低摩擦材料製の突出部材５６を形成することにより、ナット部材２６を回転しつつ移動フード１６をリール脚載置面１８に沿って長手方向に移動する際、固定フード２２側に作用する偏荷重等の影響により、キャップ部材４８が釣竿の竿管８あるいはこの竿管８を装着するリールシート本体１４の対向する外面に接触する状態となっても、キャップ部材４８の内周面から突出する突出部である突出部材５６が、その小さな摩擦抵抗で対向する外面に接触するため、釣竿すなわち竿管８あるいはリールシート本体１４の外面の損傷が抑制され、例え接触したとしても、その低摩擦抵抗により、滑らかに移動することができる。このため、例えば金属、樹脂にメッキを施したもの、あるいは、樹脂にガラス繊維を混入し、竿管８の表面硬度よりも高硬度の接触した場合等に生じる外表面の傷、特に白く細い擦り傷等の発生、更に外表面の光沢が低下する等の不具合が生じるのを防止することができる。
【００２８】
図９は、変形例による移動フード１６を示す。この変形例による移動フード１６は、ナット部材２６が一体構造のボディ部３６Ａを有する。このボディ部３６Ａは、ナイロン、ＡＢＳ樹脂等の合成樹脂材料、セラミックス材料、あるいは、ステンレス、アルミニウム、マグネシウム、真鍮等の金属材料により軽量かつ高強度構造に形成してある。このため、雌ねじ３６ａの潰れを防止するための筒体は必要ない。この場合は、突出部材５６は、ボディ部３６Ａの後端に近接した円錐台状の外周面を持つ部位の内面側に設けるのが好ましい。他の部分は、上述の実施形態と同様であるため、同様な部位に同様な符号を付して、その詳細な説明を省略する。
【図面の簡単な説明】
【００２９】
【図１】本発明の好ましい実施形態による釣竿の全体図。
【図２】図１に示す釣竿のリールシートの拡大図。
【図３】図２に示すリールシートの移動フードの説明図。
【図４】図３に示す移動フードのボディ部を示し、（Ａ）は部分断面図、（Ｂ）はそのＢ−Ｂ線に沿う図。
【図５】図３に示す移動フードの筒体の断面図。
【図６】図５に示す筒体の製造工程の説明図。
【図７】図３に示す移動フードの摘み部材の説明図。
【図８】図３に示す移動フードのキャップ部材を示し、（Ａ）は（Ｂ）のＡ−Ａ線に沿う断面図、（Ｃ）は変形例の説明図。
【図９】変形例による移動フードの説明図。
【符号の説明】
【００３０】
６…魚釣用リール、８…竿管、１０…釣竿、１４…リールシート本体、１６…移動フード、１８…リール脚載置面、２２…固定フード、３６ａ…雌ねじ、５６…突出部材。
【図１】
2006204261.tif 000003
【図２】
2006204261.tif 000004
【図３】
2006204261.tif 000005
【図４】
2006204261.tif 000006
【図５】
2006204261.tif 000007
【図６】
2006204261.tif 000008
【図７】
2006204261.tif 000009
【図８】
2006204261.tif 000010
【図９】
2006204261.tif 000011